【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
オフセット印刷システム用の物質付着制御装置にして、
基板上に物質を転移するために少なくとも１つの物質を受容するように構成されているオフセット版を少なくとも備える物質付着制御装置であって、
少なくとも１つの物質の少なくとも１つの制御付着手段であって、少なくとも１つの湿潤液を吐出する少なくとも１つのヘッド群および少なくとも１つの着色物質を吐出する少なくとも１つのヘッド群を備える少なくとも１つの制御付着手段と、
オフセット版の少なくとも１つのクリーニング手段と、
オフセット版のコーティングと、
をさらに備え、
オフセット版のコーティングは、制御付着された物質を受容するように構成されている複数の親水性・親油性単位表面によって形成されるメッシュ構造を含み、これらの親水性・親油性単位表面それぞれは、親水性・親油性単位表面のそれぞれの周辺の少なくとも１つの疎水性・疎油性表面によってそれぞれから分離されることを特徴とする、物質付着制御装置。
【請求項２】
それぞれの付着ヘッド群が、物質を付着させる少なくとも１つのヘッドを備え、それぞれのヘッドは、コンピュータシステムとデジタルファイルによって個々に制御された少なくとも１つのノズルを備え、それぞれのヘッドは、少なくとも１つの物質をオフセット版の表面に吐出することによって、全ての吐出物がオフセット版の表面に、着色物質のヘッドに対するデジタルファイルの画像および／またはテキストに対応し、湿潤液のヘッドに対するネガ画像に対応した画像および／またはテキストを生成するように構成されていることを特徴とする、請求項１に記載の物質付着制御装置。
【請求項３】
湿潤液ヘッド群が、湿潤液物質を吐出する少なくとも１つのノズルを備えた少なくとも１つの湿潤液付着ヘッドを備え、着色物質ヘッド群は、それぞれ異なる基本色の着色物質を吐出する少なくとも１つのノズルを備えた基本色ごとの少なくとも１つの付着ヘッドを備えることを特徴とする、請求項１に記載の物質付着制御装置。
【請求項４】
湿潤液ヘッド群が、湿潤液物質を吐出する少なくとも１つのノズルを備えた少なくとも１つの付着ヘッドを備え、着色物質ヘッド群は、基本色ごとの少なくとも１つのノズルを備えた少なくとも１つの付着ヘッドを備え、付着ヘッドのそれぞれのノズルは異なる基本色の着色物質を吐出することを特徴とする、請求項１に記載のオフセット印刷システム用物質付着制御装置。
【請求項５】
メッシュ構造が、表面の市松模様を形成するように互いに対して配置された長方形の単位表面を備えることを特徴とする、請求項１に記載のオフセット印刷システム用物質付着制御装置。
【請求項６】
メッシュ構造が、表面のハニカムメッシュ構造を形成するように互いに対して配置された六角形の単位表面を備えることを特徴とする、請求項１に記載のオフセット印刷システム用物質付着制御装置。
【請求項７】
周辺疎油性・疎水性表面の幅の値が、親油性・親水性単位表面の幅の５から５０％の値に相当することを特徴とする、請求項１に記載のオフセット印刷システム用物質付着制御装置。
【請求項８】
物質を受容するように構成されている単位表面の幅が、少なくとも３５μｍ以上であることを特徴とする、請求項７に記載のオフセット印刷システム用物質付着制御装置。
【請求項９】
湿潤液もしくは着色物質を受容する可能性のある単位表面の幅が、少なくとも５μｍであるように構成されていることを特徴とする、請求項１に記載のオフセット印刷システム用物質付着制御装置。
【請求項１０】
オフセット版が、変位手段によって移動されるように構成されており、変位手段は、少なくとも１つの単位表面の中央でノズルによって物質が付着されるごとにインクリメントにオフセット版を移動させ、その移動増分は少なくとも１つのセルの半分のサイズに相当することを特徴とする、少なくとも請求項１に記載のオフセット印刷システム用物質付着制御装置。
【請求項１１】
物質付着制御装置を組み込んだ、基板への印刷システムであって、物質付着制御装置が、
基板上に物質を転移するために少なくとも１つの物質を受容するように構成されているオフセット版を少なくとも備え、
物質付着制御装置が、
少なくとも１つの物質の少なくとも１つの制御付着手段であって、少なくとも１つの湿潤液を吐出する少なくとも１つのヘッド群および少なくとも１つの着色物質を吐出する少なくとも１つのヘッド群を備える少なくとも１つの制御付着手段と、
オフセット版の少なくとも１つのクリーニング手段と、
オフセット版のコーティングと、
をさらに備え、
前記コーティングは、制御付着された物質を受容するように構成されている複数の親水性・親油性単位表面によって形成されるメッシュ構造を含み、これらの親水性・親油性単位表面それぞれは、親水性・親油性単位表面のそれぞれの周辺の少なくとも１つの疎水性・疎油性表面によってそれぞれから分離されることを特徴とする、基板への印刷システム。
【請求項１２】
印刷システムがさらに、基板に付着した物質を乾燥させるように構成されている乾燥装置をさらに備えることを特徴とする、請求項１１に記載の印刷システム。
【請求項１３】
基板が、物質付着制御装置と対圧シリンダとの間を通過することを特徴とする、請求項１１に記載の印刷システム。
【請求項１４】
システムが、各オフセット版に対して少なくとも１つの印刷ブランケットを備え、基板が、対圧シリンダと印刷ブランケットとの間を通過させられるためであることを特徴とする、請求項１１に記載の印刷システム。
【請求項１５】
物質付着制御装置を実行する印刷方法にして、
物質付着制御装置が、
基板上に物質を転移するために少なくとも１つの物質を受容するように構成されているオフセット版を少なくとも備え、
物質付着制御装置が、
少なくとも１つの物質の少なくとも１つの制御付着手段であって、少なくとも１つの湿潤液を吐出する少なくとも１つのヘッド群および少なくとも１つの着色物質を吐出する少なくとも１つのヘッド群を備える少なくとも１つの制御付着手段と、
オフセット版の少なくとも１つのクリーニング手段であって、少なくとも１つのヘッド群が、ノズルを備える少なくとも１つのヘッドを備える、オフセット版の少なくとも１つのクリーニング手段と、
オフセット版のコーティングのコーティングと、
をさらに備え、
前記コーティングが、制御付着された物質を受容するように構成されている複数の親水性・親油性単位表面によって形成されるメッシュ構造を含み、これらの親水性・親油性単位表面それぞれは、親水性・親油性単位表面のそれぞれの周辺の少なくとも１つの疎水性・疎油性表面によってそれぞれから分離され、
前記印刷方法は、
付着手段の少なくとも１つのノズルによって疎油性・疎水性輪郭部によって分離された複数の親油性・親水性表面を含むオフセット版への少なくとも１つの物質制御付着ステップによって付着させることと、
基板への少なくとも１つの物質転移ステップによって転移させることと、
オフセット版のクリーニング手段による少なくとも１つのクリーニングステップによってクリーニングすることと
を連続して含み、
物質制御付着ステップは、規定される画像の点もしくはネガ画像の点の位置に対応するオフセット版の表面の少なくとも１つの所定のポイントに物質を付着させることを含む
ことを特徴とする印刷方法。
【請求項１６】
物質制御付着ステップが、
湿潤液物質を吐出するノズルによって湿潤液物質を制御付着させるステップと、
基本色の着色物質を吐出するノズルによって基本色の着色物質を制御付着させるステップとを含み、
これらのステップの後に転移ステップおよびクリーニングステップが続き、これらのステップの全ては異なる基本色のそれぞれの着色物質を付着させるために繰り返されることを特徴とする、請求項１５に記載の印刷方法。
【請求項１７】
物質制御付着ステップが、
湿潤液物質を吐出するノズルによって湿潤液物質を制御付着させるステップと、
異なる基本色の着色物質を吐出するノズルによってそれぞれの基本色の着色物質を制御付着させるステップと
を含むことを特徴とする、請求項１５に記載の印刷方法。
【請求項１８】
物質を制御付着させるステップの前に、
物質を受容するオフセット版の表面の部分を決定およびプログラミングすることを少なくとも含む、印刷される画像を準備するステップと、
印刷される画像に対応するプログラミングデータを物質付着制御装置に転送するステップと
を含むことを特徴とする、請求項１５に記載の印刷方法。
【請求項１９】
物質の基板への転移ステップの後に、基板に転移された物質を乾燥させる乾燥装置による乾燥ステップを含むことを特徴とする、請求項１５に記載の印刷方法。